(57)【要約】  移動式の多室展示。展示環境には、第１の知覚キューを備えた第１の部屋、及び第１の知覚キューセットと実質的に異なる第２の知覚キューセットを備えた第２の部屋が備わっている。この第１及び第２の部屋は一時的使用を目的として設計されており、ある場所から別の場所への搬送に備えて容易に解体できる。
2008536154.tif 000002
【特許請求の範囲】
【請求項１】
移動式の多室展示であって、
ａ．第１の知覚キューセットを備えた第１の部屋、
ｂ．前記第１の知覚キューセットと実質的に異なる第２の知覚キューセットを備えた第２の部屋が備わっており、及び
ｃ．前記第１及び前記第２の部屋が、クレート収納可能又はパレット収納可能に設計されている、
ことを特徴とする展示。
【請求項２】
前記第１及び第２の各部屋の前記知覚キューが、所定の区分の集団に関連させて選択される、請求項１に記載の移動式展示。
【請求項３】
前記集団が乳児の集団である、請求項１又は２に記載の移動式展示。
【請求項４】
前記集団が成人女性の集団である、請求項１又は２に記載の移動式展示。
【請求項５】
前記所定の区分が、月経開始年齢にある思春期前及び１０代前半の少女、子供のいない若い女性、及び母親と年配の女性より成る群から選択される、請求項４に記載の移動式展示。
【請求項６】
前記所定の区分が、新生児、幼児、はいはいする幼児、よちよち歩きの幼児、歩ける幼児より成る群から選択される、請求項３に記載の移動式展示。
【請求項７】
前記第１及び前記第２の各部屋の前記知覚キューが、前記所定の区分の集団のライフステージの進行に関連させて選択される、請求項１〜６のいずれか一項に記載の移動式展示。
【請求項８】
消費者製品の効果の展示及び伝達を目的とする移動式の多室展示であって、
ａ．第１の知覚キューセットを備えた第１の部屋、
ｂ．前記第１の知覚キューセットと実質的に異なる第２の知覚キューセットを備えた第２の部屋、
ｃ．前記第１及び前記第２の知覚キューセットと実質的に異なる第３の知覚キューセットを備えた第３の部屋、
ｄ．ベッド、整えられていないベッド、クローゼットに吊るされた衣類、前記ベッド又は床の上に置かれた衣類、写真、ポスター、鏡、コンパクトディスク、音楽システム、ビデオディスプレイ手段、コンピュータ、机、白熱灯、及び鏡より成る群から選択される視覚キューを含む前記第１の知覚キュー、
ｅ．又は、冷蔵庫、オーブン、テーブルと椅子、流し台、クリーニング用品、食料庫、食器洗浄機、タイル張りの床、堅木張りの床、リノリウム張りの床、蛍光灯、及びカーテンを掛けた窓より成る群から選択した視覚キューを含む前記第１の知覚キュー、
ｆ．又は、衣類を吊り下げたラック、たたんだ衣類を収納した棚、衣類のモデルを務めるモデルの写真、アクセサリーを吊り下げたラック、販売品目を収納した陳列台、壁の広告、ポスター、及び試着室より成る群から選択される視覚キューを含む前記第１の知覚キューが備わっており、及び
ｇ．前記移動式の多室展示がクレート収容可能又はパレット収容可能、
であることを特徴とする展示。
【請求項９】
移動式の多室展示であって、前記第１、前記第２、及び前記第３の各部屋の前記知覚キューが、前記所定の区分の集団のライフステージの進行に関連させて選択される、請求項８に記載の展示。
【請求項１０】
女性用ケア製品の効果の展示及び伝達を目的とする移動式の展示であって、月経中の女性のライフステージに関連させて選択される、知覚キューセットを含むことを特徴とする展示。
【発明の詳細な説明】
【技術分野】
【０００１】
本発明は、移動可能な一時的使用を目的として、組み立て及び分解可能な設計になっている移動式展示に関するものである。
【背景技術】
【０００２】
消費者製品の製造業者は、消費者が製品に何を求めているかを理解すれば、消費者に支持される。製造業者が消費者のニーズ、欲求、及び習慣を理解することは、多くの場合、消費者に即座に明白ではない形で、特定の魅力ある機能を備えた製品を企画する際に役立つ。同様に、小売業者及び製品の他の販売業者は、製造業者と同程度には消費者製品を理解していない場合がある。製造業者には定期的に小売客を訪問して販売を行う営業担当者が存在するが、多くの場合、時間及び空間の制約により、特定製品の背景に存在する消費者に対する理解を十分に認識してもらうために必要な情報を小売客に提供できない。このような制約によって、競争の激しい消費者市場での売り上げが伸び悩むことも多くあり得る。
【発明の開示】
【発明が解決しようとする課題】
【０００３】
従って、消費者理解に関する見識をより効果的に消費者製品の小売業者に伝達する方法又は装置に対する未取り組みのニーズは引き続き存在している。
【０００４】
また、製造業者と小売業者との間での消費者のニーズ、共同事業の計画、技術レビューなどに関する議論を促す方法に対する未取り込みのニーズも引き続き存在している。
【０００５】
更に、多数の小売客に影響するように、複数の場所で使用可能な費用効率の高い方法又は装置に対する未取り込みのニーズも引き続き存在している。
【０００６】
更に、異なる顧客、異なる地理的地域、異なる製品など多様な販売環境のニーズに容易に変更可能な方法又は装置に対する未取り込みのニーズも引き続き存在している。
【課題を解決するための手段】
【０００７】
移動式の多室展示を開示する。展示環境には、第１の知覚キューを備えた第１の部屋、及び第１の知覚キューセットと実質的に異なる第２の知覚キューセットを備えた第２の部屋が含まれている。この第１及び第２の部屋は一時的使用を目的として設計してあり、別の場所への搬送に備えて容易に解体できる。
【発明を実施するための最良の形態】
【０００８】
本発明の移動式展示は、直接的に、又は百貨店、食料品店、工具店などの小売店を介して、小売客を含む顧客への販売増加を目的として、製品の効果を伝達するための移動式展示環境である。１つの実施形態では、この移動式展示装置は多室展示であり、各部屋は、製品、事業計画、技術レビューなどの伝達を促すために特定の「外観と雰囲気」に合わせて変更できる。
【０００９】
本明細書で使用する時、「移動式」とは、容易に別の場所に移動できる展示を意味する。移動式展示は、一時的に使用するために組み立てて、別の場所へ搬送するために解体することができる。移動式展示は、必要最低限の道具で展示の組み立て、解体を迅速にできるように、モジュール部品で構成させてもよい。
【００１０】
１つの実施形態では、移動式展示は１つ以上のスキッド、パレット、又はクレートの上又は中に収容して搬送可能である。搬送要件に合わせて、スキッド、パレット、又はクレートの数及びサイズは、搬送及び組み立てに使用できる装置に応じて選択できる。例えば、移動式展示は、標準的なフォークリフト又はパレットジャック装置を使用して移動可能なスキッド又はパレットに固定可能な構成部品に解体できる。１つの実施形態では、移動式展示は、１人又は２人によって持ち上げるなど、人力で移動可能なクレートに収容できる構成部品に解体できる。
【００１１】
１つの実施形態では、移動式展示はクレート収容可能又はパレット収容可能である。本明細書で使用する時、「クレート収容可能」とは、移動式展示が解体可能な設計になっており、保管、又は異なる時間若しくは場所で再度組み立てるための搬送を目的として構成部品をクレート（単数又は複数）に収容することを意味する。クレートは、製品の輸送に使用される任意の既知のクレートでよい。クレートは、当該技術分野において周知のように、木、金属、又はこれらの組み合わせで製造したものでよく、代表的なクレートとしては、テキサス州アーリントン（Arlington）のカスタム・クレーティング（Custom Crating, Inc.）、又はフロリダ州オーランド（Orlando）のオール・アメリカン・クレーティング（All American Crating, Inc.）などクレーティング分野を専門とする企業が使用しているクレートが挙げられる。クレーティングには、貨物運送用コンテナでの航空輸送又は海上輸送を含めてよい。１つの実施形態では、クレートは、フォークリフト又はパレットジャックによる積み入れ又は積み卸しに便利なサイズである。１つの実施形態では、クレートの容積は３立方メートル未満であり、積載時の重量は４５０ｋｇ（約１，０００ポンド）未満である。１つの実施形態では、クレートの容積は５立方メートル未満であり、積載時の重量は２，２５０ｋｇ（約５，０００ポンド）未満である。１つの実施形態では、クレートの容積は１０立方メートル未満であり、積載時の重量は４，５００ｋｇ（約１０，０００ポンド）未満である。
【００１２】
本明細書で使用する時、「パレット収容可能」とは、保管、及び異なる時間又は場所で再度組み立てるための搬送を目的として移動式展示のモジュール部品をパレットに固定されるように設計されていることを意味する。パレットは、当該技術分野において周知のように、木、プラスチック、金属、又はこれらの組み合わせで製造したものでよい。代表的なパレットとしては、オハイオ州サウスチャールストン（South Charleston）のバックアイ・ダイアモンド・ロジスティックス（Buckeye Diamond Logistics, Inc.）、又はノースカロライナ州コーネリアス（Cornelius）のハンドリング・イノベーションズ（Handling Innovations, LLC）などパレット及びパレットコンテナの分野を専門とする企業が使用しているパレットが挙げられる。１つの実施形態では、パレットの積載表面積は約１〜約１０平方メートルであり、少なくとも約４５０ｋｇ（約１，０００ポンド）を積載できる。
【００１３】
この移動式展示は、小売用製品の卸売業者への伝達を目的として使用できる。この移動式展示が使用ために組み立てられる時、移動式展示は望まれる環境、好ましくは小売用製品の消費者が過ごす環境を模した環境を再現するために配置、装飾、更に別の方法で調整又は設定される。このような製品のユーザーが生活する環境、又は製品が使用される環境を模した環境を構築することによって、製品の製造業者は、このような製品の効果及び製品の背景に存在する調査内容を見込み客である卸売業者により効果的に伝達できる。この環境を移動式にすることによって、影響が及ぶ卸売業者にとって便利な場所に装置を容易に搬送できる。例えば、移動式展示は、航空輸送、海上輸送、又は陸上輸送を行うために、パレット又はクレートに収容できる。陸上輸送は、トラック、荷船（例えば、内陸水路）、又は列車で行ってもよい。１つの実施形態では、移動式展示は、航空輸送、海上輸送、又は陸上輸送に備えて、クレーン又はフォークリフトによる別の輸送手段への積み替えに適した単一のコンテナに詰めてもよい。
【００１４】
この移動式展示は、屋外又は建物内で使用するために組み立ててもよい。例えば、この移動式展示は、小売業者の事業所にある駐車場に組み立ててもよい。１つの実施形態では、この移動式展示は、コンベンションセンター、ホール、又はホテルの部屋など建物内で使用するために組み立ててもよい。１つの実施形態では、この移動式展示は、ホテルの部屋又は事務所など別の部屋の中で使用するために組み立ててもよい。複数室の実施形態では、移動式展示の各部屋を別個の部屋で組み立ててもよい。
【００１５】
本発明は、製造業者が任意の販売製品の有益な属性を展示及び伝達するのに好適であるが、本明細書に記載の実施形態は、消費者製品及び包装品、特に消費者自身や家族のため、又は家庭で使用するために消費者が使用する製品の属性を伝達することを目的とする移動式の多室展示である。特に、本発明の１つの実施形態として本明細書に記載する移動式展示は、使い捨ておむつ、生理用ナプキン、パンティライナー、タンポンなど使い捨ての吸収性製品の有益な製品理解及び属性を伝達する上で有用である。
【００１６】
この移動式展示は移動及び搬送が可能であるので、多数の場所で、多数の目的のために再利用できる。例えば、この移動式展示は、販売ブース、展示会、及び仮設展示で使用するモジュール展示の分野で一般的な、容易に接合／取り外しできる構成部品などのモジュール部品から作製されてもよい。販売展示ブースで使用するなど移動可能な構成部品の構造は当該技術分野において既知であり、その例としてはバージニア州スプリングフィールド（Springfield）のノーマディック・ディスプレイ（Nomadic Display）、又はカリフォルニア州サンタクララ（Santa Clara）のアブソルートリー・ポータブル（Absolutely Portable）などの製品が挙げられる。
【００１７】
一般に、本発明の移動式展示は、製品の製造業者が消費者から収集した見識を伝達し、製品の製造業者と見込み客との間でのこのような見識に関する議論を促すことを目的として設計されている。更に、ビジョンの共有、共同開発の機会、共同事業の計画、及び／又は技術レビューなど熟練した進行役との会議を促すためにも使用できる。例えば、移動式展示を購買者の事業所に搬送し、製品製造業者の代表者（例えば営業担当者又は製品研究者）が購買者に展示環境を案内できる。展示によって、購入者は消費者環境に身を置くことができる。消費者の見識は、対象消費者に特有の知覚キューを備えた前記環境において、より効果的に伝達することができる。
【００１８】
本明細書で使用する時、「キュー」及び「知覚キュー」という用語は、直近の環境に関して眼、耳、又は鼻に加えて、触感で感知されるてがかり、信号、又は兆候を指す。従って、部屋に存在する様々な目に見える物体は視覚キューであり、聞こえる音は可聴キューであり、香りやにおいは臭覚キューである。本明細書で使用する時、知覚キューは、例えば個人のいる部屋（即ち寝室、台所、子供部屋、事務所、工場の現場、手術室、教室など）など個人の環境を示す個別の又は相互に関係する信号を指す。
【００１９】
本明細書で使用する時、「部屋」という用語は、実際に閉鎖又は半閉鎖されている機能的に特有な家、事務所、店舗、学校、病院、又は同様の場所の部屋を模した閉鎖又は半閉鎖領域を意味する。「機能的に特有」とは、寝室、台所、衣料品店、遊戯室、店舗、車庫、地下室、事務所、診療所、歯科医院、待合室、教室、研究室、又はその他機能的に特有な領域など特定目的で使用することが認識できる部屋を意味する。本発明において、部屋とは、人が歩いたり、展示されている種類の実際の部屋にあたかもいるかのようにその部屋で過ごしたりするために十分な大きさを備えた三次元構造体である。
【００２０】
一般に、本発明の部屋は完全に閉鎖されていたり、完全に機能する備品及び家具を備えていたりする必要はないが、そのような外見を備えている必要がある。従って、部屋を全面的に覆う天井は必要はないが、天井のような外見を備えた要素であってよい。同様に、台所などの部屋には実際に機能する電気製品、水道設備などを設ける必要はないが、電気製品、水道設備などの外見のみだけでよい。
【００２１】
図１は、本発明の移動式展示１の１つの実施形態を示す。図１に示したように、移動式展示１は、少なくとも第１の部屋１０及び第２の部屋２０を備えた、複数室の展示である。図１に示したように、２つの部屋は共通の出入り口２Ｂでつながっているが、本発明は２部屋だけに限らない。移動式展示には一部屋のみ設けることもでき、１つ超過の部屋を設ける場合は、部屋は、通路、廊下、又はその他の中間的な場所などの距離によって離されていてもよい。
【００２２】
移動式展示１は、プレハブパネル及び仮設展示用に容易に組み立て及び解体可能な他の構造要素で構成させてもよい。図２は、移動式展示の部屋を区画形成するために壁５のパネルなどを取り付け可能な構成部品の代表的な構成を示す。例えば、壁５には、布地で覆われた鉄骨枠など軽量材の別個のパネルを含んでもよい。各パネルは、ピン留めヒンジ、雄／雌型噛み合い要素、又は多様な構造部材若しくはパネルを、移動式展示１の壁を構成する区画に接合するための当該技術分野において既知のその他の手段などの連結手段によって接合できる軽量の支柱５０及びはり５２に、機知の方法によって接合できる。同様に、じゅうたん７又はタイル９などの床材は、容易に組み立て及び解体可能な区画で使用できる。展示する部屋の機能に応じて、及び下記のとおり、ベッド、机、照明、テーブル、電気器具、衣料品、写真、鏡、コンピュータ、及びその他の小道具などの他の要素は、展示１の壁、床、又は天井を所定の位置に組み立てた後で追加できる。図２は、本発明の１つの実施形態の代表的な寸法５４も示して、例えば、開口部は約２１４．１センチ（約８４．３インチ）、又は壁パネルの側面は約１４１センチ（約５５．５インチ）である。
【００２３】
図１は、女性用衛生製品の女性消費者が居住していると思われる典型的な家の２部屋を示している。この２部屋は、婦人衛生上のニーズが異なり得る、別のライフステージにある女性が典型的に居住する２種類の環境を提供する。例えば、入室者は、矢印３Ａが示すように、出入り口２Ａから入ることができ、この部屋は、１０代の寝室環境でもよい。部屋の中に入ると、入室者は、１０代のニーズ、欲求、不安、及びその他の一般的な思考の理解を促す複数の知覚キューを目にする。従って、１つの実施形態では、本発明は、異なる又は変化するライフステージにいる消費者のニーズを理解することを目的としている。消費者製品の製造者は、消費者の現在の身体的、精神的、社会的、及び／又は文化的発育段階に基づいて消費者の特別な、恐らく独特なニーズに対する見識を備えると、消費者向けにより優れた製品を製造できる。
【００２４】
寝室環境は、１０代の少女の多様な年齢、国籍、文化、地理的位置、及びその他の購買層の特性に合わせて変更できる。しかし、一般に、１０代の寝室環境には、整えた又は整えていないベッド８、コンピュータ１３、その他の電気製品を置ける机１２、紙類、写真などを備えてもよい。更に、クローゼット１６には、展示する時点及び場所で流行している種類の洋服１４を吊り下げてもよい。寝室には、写真、ポスター、音楽システム、鏡、白熱灯、じゅうたん又はその他の床材、カーテンなどの窓飾り、及び典型的な１０代の寝室に関するその他の視覚キュー及び聴覚キューを備えていてもよい。寝室は、目的とする効果の必要性に応じて、整頓されている又は雑然としている、清潔である又は汚い、騒がしい又は静かであるなどの状態にしてもよい。
【００２５】
典型的な寝室の知覚キューに加えて、第１の部屋１０には心配、恐怖、欲求、思考、ニーズなど典型的な１０代の少女の生活をマルチメディアによる実演で提示する手段を設けてもよい。例えば、薄型モニタ１８では、消費者データを記録した実演の形式でビデオや知覚情報を流すことができる。モニタ１８は、ビデオテープ、ＤＶＤ、ストリーミングビデオ、又はその他の方法などの蓄積メディアを再生できるビデオシステムの一部でもよい。見込み客は、１０代の寝室環境で実演を見たり聞いたりすることによって、販売商品の背景に存在する消費者に対する深い理解を更に十分に認識できる。例えば、見込み客である女性用衛生製品の卸売業者は、１０代の少女のニーズに対する理解を深めることができるので、対象消費者のためにより適切な購買判断を下すことができる。マルチメディアによる実演は、プロジェクタから壁又はスクリーンへの投影など当該技術分野において既知の方法で容易に行うことができる。第１の部屋１０（及び他の部屋）の壁の一部は、投影させる光画像の表示に好適な材料で作成してもよい。
【００２６】
第２の部屋２０には、矢印３８が示すように、出入り口２Ｂから入ることができる。第２の部屋２０は、典型的な家の別の部屋、又は衣料品店の内部など女性の別のライフステージの典型的な環境であってもよい。図１に示した実施形態では、第２の部屋２０は、母親など年配の女性が長時間過ごすことを想定した台所である。台所には、典型的な台所に存在するであろうその他の物品に混じって、テーブル２２、椅子２３、冷蔵庫２４、食料庫２５、オーブンとコンロ２６、調理台２７、及び流し２８を備えてもよい。台所には、移動式展示１を配置する場所、地理的位置、文化、又は国に応じて、より現実的な環境を生み出す他の知覚キューを備えてもよい。例えば、床９は、タイル、広葉樹材、又はリノリウムなどその地域に特有な床にしてもよく、食器洗浄機は、装備してもしなくてもよい。また、窓飾りの付いた窓を備えることもできる。更に、料理及びクリーニング用品の典型的な匂い及びその他の臭いがしたり、食器のあたる音及び食器洗浄機の動作音が聞こえたりしてもよい。
【００２７】
典型的な台所の知覚キューに加えて、第２の部屋２０には、心配、恐怖、欲求、ニーズなど典型的な母親の生活をマルチメディアによる実演で提示する手段を設けてもよい。例えば、薄型モニタ１８では、第１の部屋１０と同様の方法で、消費者データを記録した実演の形式でビデオや知覚情報を流すことができる。見込み客は、台所環境で実演を見ることによって、販売商品の背景に存在する消費者に対する深い理解を更に十分に認識できる。例えば、女性用衛生製品の見込み客は、母親など年配の女性のニーズに対する理解を深めることができるので、対象消費者のためにより適切な購買判断を下すことができる。１つの実施形態では、マルチメディアによる実演は、オーバーヘッドプロジェクタ（ＯＨＰ）からスクリーンとして機能する壁に投影させる。１つの実施形態では、壁／スクリーンは、第１の部屋１０と同様の壁／スクリーンである。
【００２８】
図１に示した２室の実施形態では、入室者は、矢印３Ｃが示すように、ドア２Ｃから第２の部屋２０を退出できる。１つの実施形態では、移動式展示１における入室者の進路は、女性のライフステージなど実演の自然な進行に基づいており、この進路が重要な場合もある。しかし、一般に、移動式展示１の部屋を移動する際に入室者が取る進路が重要であるとは考えられない。
【００２９】
第３の部屋３０及び第４の部屋４０など他の部屋も、移動式展示１の一部としてもよい。図１に示した部屋に加えて、例えば第３の部屋３０は衣料品店の内部を模してもよい。衣料品店には、衣類を吊り下げたラック、たたんだ衣類を収納した棚、衣類のモデルを務めるモデルの写真、アクセサリーを吊り下げたラック、販売用の品目を収納した陳列台、壁の広告、ポスター、及び試着室などの知覚キューを備えてもよい。展示の場所に応じて、衣料品店に関連するその他の典型的な光景、音、又はにおいを追加してもよい。例えば、展示を組み立てる地理的地域に特有な音楽を頭上スピーカーから流してもよい。電話の音、背景の会話、「ＰＡ」アナウンスを使用してもよい。
【００３０】
第４の部屋４０は年配の女性の寝室でもよい。年配の女性の寝室には、ベッド、鏡台、化粧ダンス、年齢相応の衣料品が入ったクローゼット、ろうそく又は匂い袋の香りなどを備えてもよい。年配の女性の寝室に関連する知覚キューには、第４の部屋を展示する地理的地域及び文化の年配の女性に特有なキューを含めてもよい。総合的な知覚を体験するために、視覚キューに関連するにおい及び音を追加してもよい。
【００３１】
最初の２部屋と同様に、第３及び第４の部屋（並びに他の部屋）には、見込み客が販売商品の背景に存在する消費者に対する深い理解を更に十分に認識できる、テレビ、コンピュータ、又はＯＨＰとスクリーン、又は薄型モニタ１８などマルチメディアによる実演手段を備えてもよい。例えば、第３の部屋３０にいる、見込み客である女性用衛生製品の卸売業者は、大学生など若い独身の女性のニーズに対する理解を深めることができるので、対象消費者のためにより適切な購買判断を下すことができる。同様に、第４の部屋４０にいる、見込み客である女性用衛生製品の卸売業者は、祖母など年配の女性のニーズに対する理解を深めることができるので、対象消費者のためにより適切な購買判断を下すことができる。
【００３２】
マルチメディアによる展示によって伝える情報に加えて、移動式展示１のいずれかの部屋又は各部屋には、熟練した進行役がいてもよい。熟練した進行役は、消費者製品と見込み客（即ち小売業者）の双方に精通した人物でもよい。熟練した進行役は議論を主導し、会議を進め、一般に、移動式展示１と購買者又は移動式展示１を体験するその他の顧客との間で伝達が行われるようにできる。熟練した進行役は、質問への回答、情報提供を確実に行い、購買担当者が移動式展示を堪能してもらうようにできる。更に、熟練した進行役は共同事業の計画、ビジョンの共有、技術レビューなどに関する議論を進めたり、主導したりできる。
【００３３】
一般に、部屋の順序は上述したとおりである必要はない。即ち、例えば、台所は第１の部屋でもよい。しかし、部屋は、女性のライフステージが順序通りに進行するように、特定の流れを提供するように配置することが好ましい。従って、このような実施形態では、４つの区画又は部屋を使用して、第１の区画（部屋）は１０代の寝室、第２は衣料品店、第３は台所、第４は年配の女性の寝室と、発展段階を強調してもよい。
【００３４】
更に、１つの実施形態に関する上記の説明から、本発明の移動式展示１には婦人衛生物品の効果を伝達すること以上の効用を備えることができるのは明らかである。例えば、移動式展示には、多様なおむつ及びベビーケア製品の効果を更に効果的に伝達すること目的として、乳児の発育段階に対応する複数の部屋を備えてもよい。そのようなものとして、第１の部屋１０は病室であり、出産室の設備、心地よい音楽、控えめな照明、及び未熟児を含む新生児に好適なおむつ替え用テーブルを備えてもよい。第２の部屋は、幼児用の自宅の育児室であり、ベビーベッド、吊り下げられたモビール、乳児用拭取り用品及びローションが置かれたおむつ替え用テーブル、揺り椅子、及び柔らかい動物など年齢相応のおもちゃを備えてもよい。第３の部屋３０は、はいはいする幼児又はよちよち歩きの幼児向けの遊戯室であり、はいはいする幼児又はよちよち歩きの幼児に適したより大きなおもちゃ、本、柔らかい家具、及び食事用の幼児椅子を備えてもよい。第４の部屋４０は、歩ける幼児及び年長の子供向けの幼稚園の部屋であり、より大きなおもちゃ、本、机、テーブル、黒板などを備えてもよい。
【００３５】
本発明のその他の使用法として、様々な機能向けに最適化した多様な事務所用装置など多様な事務所構成の特長及び機能の伝達を挙げることができる。例えば、診療所又は歯科医院には、複数の病室及び待合室を備えてもよい。更に、本発明は室内装飾に関する提案及び製品、木材店又は金属店に関する提案及び製品、ホテルの部屋に関する提案及び製品を提示するために使用してもよい。それぞれの場合において、２つ又はそれ以上の区画又は部屋には、部屋の機能に適切な知覚キューを備えてもよい。一部の用途において、自動車の車内を模した区画を用意して自動車に関する提案及び製品を伝達するなど、部屋をより小さくしてもよい。
【００３６】
本発明の移動式展示１を使用できる製品としては、女性用ケア製品、ベビーケア製品、口腔ケア製品、布地ケア製品、ホームケア製品、医薬品、浴用、顔用及び吸水性のティッシュ製品、薬用製品、デンタルケア製品、ペットケア製品、食品、調理製品、台所製品、店舗用器具、自動車製品、スポーツ用具、機械設備、建築資材製品などが挙げられる。
【００３７】
１つの実施形態では、移動式展示の部屋の１つ、又は５番目の専用の部屋を、地域的に優先順位の高い問題及び／又は小売業者特有の問題に合わせて設計してもよい。例えば、１つの部屋は、棚のモジュール配置、収納、展示、カウンター面積、及びその他小売業者に特有の問題に合わせて変更してもよい。更に、この部屋では、小売業者の収益性、在庫管理、輸送問題などについて計画し、議論してもよい。
【００３８】
「発明を実施するための最良の形態」において引用するすべての文献は、その関連部分において本明細書に参考として組み込まれるが、いずれの文献の引用も、それが本発明に対する先行技術であることを認めるものと解釈すべきではない。
【００３９】
本発明の特定の実施形態を例示及び説明してきたが、本発明の精神及び範囲から逸脱することなく他の様々な変更及び修正を行えることが当業者には明白であろう。従って、本発明の範囲内にあるそのようなすべての変更及び修正を、添付の特許請求の範囲で扱うものとする。
【図面の簡単な説明】
【００４０】
【図１】本発明の移動式展示の１つの実施形態。
【図２】本発明の移動式展示の一般的な構造の斜視図。
【図１】
2008536154.tif 000003
【図２】
2008536154.tif 000004